(57)【要約】【課題】仏壇本体の奥行を浅くし、設置スペースを大きく取らない工夫と、且つ、従来使用している仏具設置スペースを損なう事がないように、仏具設置スペース確保に留意した仏壇を考案し、又、扉の開閉時に於ける開閉の空間スペースを最小になるように従来の仏壇扉の開閉方法を改良し、且つ、安全性を考慮した薄型・多層構造奥行き可変及びスライド扉を持つ仏壇。【解決手段】仏壇本体の厚みを住宅の壁厚程度とした薄型仏壇にし、且つ仏壇本体が、外側本体部と内側本体部のある多層構造型にし、外側本体部と各内包箱部とは、スライド出来るように連結され、最小内包箱を引き出す事により順次内包箱がスライドし、新たな棚が出現され、仏具設置の奥行きスペースが確保される。又、扉の開閉金物、所謂、扉丁番をスライド式に変更する事により、扉の開閉は上下スライド又は、左右スライド開閉になり、無駄な開閉空間スペースを解消させる。仏具（特に燭台）転倒防止の為、仏具設置台上に板状ゴム磁石を埋め込み、磁石に作用する金属性の仏具を使用する。【選択図】        図２
2004290638.tif 000002
【特許請求の範囲】
【請求項１】
箱状で背板を有する箱に内蔵出来るように、枠の厚みと接続金物の厚みを足した分の厚みをマイナスした寸方で小さく組み立てた背板の無い箱、所謂、四方枠、その四方枠の背部下端半分に背板を取り付けられた箱を内包箱とし、この同類の一回り小さい内包箱を同じ要領に順次組立し、各内包箱を背板を有する箱に収納し、一体化時には薄型仏壇となる薄型多層構造の仏壇。
【請求項２】
多層構造の本体を持ち、それぞれが順次、前方向に引き出す事が出来るように接続される事により、外側本体を基礎に内包している箱を前方向にスライドさせ、奥行を可変させられる事を特徴とする請求項１の薄型多層構造奥行き可変仏壇。
【請求項３】
多層構造本体の最小内包箱の枠見付け部にスライド開閉する扉を持ち、狭小スペースで開閉可能とすることを特徴とする請求項１〜請求項２記載の仏壇。
【請求項４】
仏具（特に燭台）転倒防止の為、祭壇となる棚部に板状ゴム磁石を装置し安全性を高めた事を特徴とする請求項１、請求項２、請求項３記載の仏壇。
【発明の詳細な説明】
【０００１】
【発明の属する技術分野】
この考案の仏壇は、薄型多層構造で且つ、内包箱がスライド式により前方向に引き出せる奥行き可変構造を兼ね備えており、更に扉の開閉にもスライド方式を取り入れる事により、壁に埋め込み設置及び壁掛け設置が可能になり狭小スペース設置可能な仏壇である。
【０００２】
【従来の技術】
仏壇は、本来、仏をまつる寺院を小さくし家庭に於いてお参りできるようにした物であり、そのため、大型で数々の仏具を祭壇に載せる必要性から奥行きの深い箱状であり、又、仏壇の華美・壮麗を求めるために、材質も黒檀や紫檀・カリン材などを使用しているが、木質そのものが非常に密度が高く重量があるため仏間に置き場所を設けるか、又は、床に直接置かざるを得ない仏壇であり、又、扉は、屈曲型観音開きとなっており扉開閉時の空間スペースを大きく要している。
【０００３】
【発明が解決しようとする課題】
仏壇本体の奥行きの深さに伴う仏壇設置場所の柔軟性、仏具設置スペースの確保、扉開閉スペースの狭小化及び、仏具の転倒防止を目的としている。
【０００４】
【課題を解決するための手段】
仏壇本体を薄型にする事により壁埋め込み或いは、壁掛け等の方法が出来、設置場所の選択範囲が広範になるが、その薄型仏壇の奥行き（厚さ）は、壁の厚みによっても違いはあるが、その厚み以内にする事が、最良寸法である。
【０００５】
仏壇本体扉の開閉時に於ける開閉空間の無駄を最小にする為、扉開閉方式にスライド式を取り入れることが好ましい。
【０００６】
仏壇本体内部の内包された多層本体を必要に応じて段階的に前方にスライドさせる事により、各内包箱に取り付けられた棚が順次出現し、仏具設置スペースを広げる事が出き、又、立体的に意匠され効果的である。
【０００７】
仏具の転倒を防止するため、仏具を設置する棚部の上部にゴム板磁石を埋め込み出来る様に棚部を加工しゴム板磁石を装置し、個々の仏具の底部に磁石が作用する金属を取り付ける。
【０００８】
【発明の実施の形態】
本考案の形態は薄型・多層構造奥行き可変及びスライド開閉式扉を持つ仏壇であるが、図面に於いては三層構造及び上方向スライド一枚扉を持つ仏壇を示して詳細に説明する。
【０００９】
本案の薄型・多層構造奥行き可変及びスライド開閉式扉を持つ仏壇は、外本体部Ａ、内包される内本体Ｂ、内本体Ｃと扉Ｄによって構成され、外本体部Ａと内本体部Ｂは、スライド式を持つ金具又は、加工により接続し、更に内本体部Ｂ及び内本体部Ｃも同様にスライド式を持つ金具又は加工により接続される。
【００１０】
図１に於いては、スライド金具１１，１２を使用、接続しスライドしている状態を示す図である。
【００１１】
スライド金具はスライドレール本体１１とインナーレール１２によって構成されており接続する外本体部Ａの側板内側にスライドレール本体１１を取り付け、内本体部Ｂの側板外側にインナーレール１２を取り付け後、接続する事により外本体Ａより内本体Ｂを前方向にスライドさせることが出来る。
【００１２】
内本体Ｂと内本体Ｃに於いても同様にスライドレールを取り付けることにより外本体部Ａ、内本体部Ｂ、及び内本体部Ｃが接続され、内本体部Ｃを前方向に引き続けると内本体Ｂが外本体部Ａより連続して引き出され奥行きが増大する。
【００１３】
奥行きを増大させ仏具設置棚を使用出来得る為に外本体部Ａの背板１は本体全面に取り付けてあるが、内本体部Ｂの背板３は棚部６より下に取り付け、内本体部Ｃの背板４は棚部７より下に取り付けてある。
【００１４】
本案の薄型・多層構造奥行き可変及びスライド開閉式扉を持つ仏壇の扉は、内包される最小内本体部Ｃに取り付けられてある。
【００１５】
扉Ｄは図５で示す様に、内本体部Ｃの枠見付け部分１４を鍔状に加工し、又、扉の枠廻り１５を溝状に加工し、内本体部Ｃに扉を装着することにより内本体部Ｃを介してスライドさせる事が出来る。
【００１６】
扉Ｄの全開時の扉落下防止の為、ストッパー１６を内本体部Ｃの両見付部分１４に取り付け、扉をスライドさせていく時、バネ式になっているストッパー１６が自動的に飛び出して扉を受け、又、扉Ｄを閉状態にするためには、ストッパーを見付け部１４より押し下げる事により、扉が下がり閉状態になる。
【００１７】
外本体部Ａの背板１、内本体部Ｂの背板２，内本体部Ｃの背板３に仏具置きとして取り付けた外本体部Ａの棚５、内本体部Ｂの棚６、内本体部Ｃの棚７の天板部には図４で示すようにそれぞれ板状ゴム磁石を埋め込み、磁石に反応する金属を使用した仏具を設置する事により仏具転倒を防止出来る。
【発明の効果】
【００１８】
請求項１及び請求項２の考案により、今まで設置スペースを大きく取っていた仏壇設置スペース確保が不要になり、且つ、仏壇のイメージを損なう事もなく新しい仏壇を提供する事が出き、居住スペースの余裕確保が難しくなり和室不要の傾向とさえなっている現代の住環境（特にマンション）等に設置するのに最適な仏壇である。
【００１９】
請求項３の発明によれば、仏壇の扉開閉時における空間スペースが不要になり、この事が、設置場所を広範囲に選択出来、設置場所確保の煩わしさをなくしている。
【図面の簡単な説明】
【図１】薄型・多層構造奥行き可変及びスライド開閉式扉を持つ仏壇の扉及び内本体部Ｂ・Ｃのスライド後の側面図である。
【図２】薄型・多層構造奥行き可変及びスライド開閉式扉を持つ仏壇の実施例を示す縦断面図ある。
【図３】薄型・多層構造奥行き可変及びスライド開閉式扉を持つ仏壇の奥行き可変及び扉スライド工程を示す図である。
【図４】外本体部Ａの棚部５，内本体部Ｂ棚部６、内本体部Ｃ棚部７、の天板部に板状ゴム磁石を埋め込んだ実施例を示す断面図である。
【図５】内本体部Ｃに扉Ｄを取り付けた実施例を示す平面図である。
【図６】内本体部Ｃの見付け部に扉Ｄの落下防止用に取り付けたストッパーの作動工程の実施例を示す断面図である。
【符号の説明】
１  外本体部Ａの背板
３  内本体部Ｂの背板
４  内本体部Ｃの背板
５  外本体部Ａの背板１に取り付けた棚
６  内本体部Ｂの背板３に取り付けた棚
７  内本体部Ｃの背板４に取り付けた棚
９  内本体部Ｃの収納部の開き戸
１０  内本体部Ｂの収納部の引き違い戸
１１  スライドレールのレール本体
１２  スライドレールのインナーレール
【図１】
2004290638.tif 000003
【図２】
2004290638.tif 000004
【図３】
2004290638.tif 000005
【図４】
2004290638.tif 000006
【図５】
2004290638.tif 000007
【図６】
2004290638.tif 000008